(57)【要約】【課題】ブロードキャスト及びマルチキャストサービスのための信号情報の伝送。【解決手段】ブロードキャスト及びマルチキャストサービスのための信号情報伝送技術が説明されている。基地局は、繰り返し期間及び修正期間を含むスケジュールに従い、各サービスに対する信号情報を伝送する。信号情報は、無線機器が敏速にこの情報を取得することを可能とするように、各繰り返し期間に送られる。重要信号情報の変更は、繰り返し期間の整数倍である各修正期間の開始時に許可される。所定のサービスに対し重要信号情報が所定の修正期間において変更されるときはいつも、無線機器に差し迫った変更を通知するために、サービスに対する通知インジケータが、先行修正期間全体においてセットされる。無線機器は、通知インジケータが先行修正期間中にセットされているのを検知でき、次の修正期間の中で更新された重要信号情報を読み出すことが出来る。【選択図】      図５
2007522776.tif 000002
【特許請求の範囲】
【請求項１】
現在の修正期間の複数の繰り返し期間の各々において少なくとも１つのサービスのための信号情報を伝送することと、なお前記信号情報は重要信号情報と非重要信号情報とで構成されている；
次の修正期間で開始する前記の少なくとも1つのサービスのための前記重要信号情報への変更を伝送することと；
を備える、通信システムにおける方法。
【請求項２】
第1繰り返し期間における前記信号情報の第1伝送後でそして現在の修正期間における第２繰り返し期間より前に、前記の少なくとも１つのサービスのための前記信号情報を再伝送すること、を更に備える請求項１記載の方法。
【請求項３】
もし前記サービスのための前記重要信号情報への変更が前記次の修正期間において伝送される場合は、前記現在の修正期間において各サービスのための通知インジケータを所定の値にセットすること、を更に備える請求項１記載の方法。
【請求項４】
前記現在の修正期間において各フレーム中の各サービスのための通知インジケータを伝送すること、を更に備える請求項３記載の方法。
【請求項５】
前記現在の修正期間の少なくとも１つの繰り返し期間において変更情報を伝送すること、を更に備え、なお前記現在の修正期間のための前記変更情報は、前記現在の修正期間における前記重要信号情報への変更を持つ各サービスを識別する、請求項１記載の方法。
【請求項６】
前記重要信号情報における変更を持つ各選択されたサービスのために起動時間を送ることと；
前記選択されたサービスのための前記起動時間に、各選択されたサービスに対し前記重要信号情報に変更を適用することと；
を更に備える請求項１記載の方法。
【請求項７】
前記繰り返し期間と前記修正期間とを備えたスケジュールを伝送すること、を更に備える請求項１記載の方法。
【請求項８】
前記繰り返し期間の整数倍である前記修正期間を設定すること、を更に備える請求項１記載の方法。
【請求項９】
所定の最短存続期間と等しい又は所定の最短存続期間より長い前記修正期間を設定すること、を更に備える請求項１記載の方法。
【請求項１０】
現在の修正期間の複数の繰り返し期間の各々における少なくとも１つのサービスのための信号情報を伝送するように、そして、次の修正期間に開始する前記の少なくとも1つのサービスのための重要信号情報への変更を伝送するように、作動する送信機ユニットと、なお前記信号情報は前記重要信号情報と非重要信号情報とで構成されている；
前記送信機ユニットによる前記信号情報の直接伝送に作動するコントローラと；
を備える、通信システムにおける装置。
【請求項１１】
もし前記サービスに対する前記重要信号情報への変更が前記次の修正期間中に伝送される場合は、前記コントローラは更に、前記現在の修正期間において各サービスに対する通知インジケータを所定の値にセットするように作動する、請求項１０記載の装置。
【請求項１２】
前記送信機ユニットは更に、前記現在の修正期間の少なくとも１つの繰り返し期間において変更情報を伝送するように作動し、なお前記現在の修正期間のための前記変更情報は、前記現在の修正期間における前記重要信号情報への変更を持つ各サービスを識別する、請求項１０記載の装置。
【請求項１３】
前記送信機ユニットは更に、前記前記重要信号情報における変更を持つ各選択されたサービスのために起動時間を送るように作動し、又、前記コントローラは更に、前記選択されたサービスのための前記起動時間に、各選択されたサービスに対し前記重要信号情報における前記変更を適用するように作動する、請求項１０記載の装置。
【請求項１４】
前記送信機ユニットは更に、前記繰り返し期間と前記修正期間とを備えたスケジュールを伝送するように作動する、請求項１０記載の方法。
【請求項１５】
現在の修正期間の複数の繰り返し期間の各々において少なくとも１つのサービスのために信号情報を伝送する手段と、なお前記信号情報は重要信号情報と非重要信号情報とで構成されている；
次の修正期間に開始する前記の少なくとも1つのサービスのために前記重要信号情報への変更を伝送する手段と；
を備える、通信システムにおける装置。
【請求項１６】
もし前記サービスのための前記重要信号情報への変更が前記次の修正期間において伝送される場合は、前記現在の修正期間において各サービスのための通知インジケータを所定の値にセットする手段、を更に備える請求項１５記載の装置。
【請求項１７】
前記現在の修正期間の少なくとも１つの繰り返し期間において変更情報を伝送する手段、を更に備え、なお前記現在の修正期間のための前記変更情報は、前記現在の修正期間における前記重要信号情報への変更を持つ各サービスを識別する、請求項１５記載の装置。
【請求項１８】
前記重要信号情報における変更を持つ各選択されたサービスのための起動時間を送る手段と；
前記選択されたサービスのための前記起動時間に、各選択されたサービスに対し前記重要信号情報における変更を適用する手段と；
を更に備える請求項１５記載の装置。
【請求項１９】
前記繰り返し期間と前記修正期間とを備えたスケジュールを伝送する手段、を更に備える請求項１５記載の装置。
【請求項２０】
現在の修正期間における少なくとも１つのサービスに対し少なくとも１つの計数フラグをセットすることと、なお各サービスに対する前記計数フラッグは、もし計数が各サービスに対しイネーブルにされる場合は、前記現在の修正期間の開始時にセットされる；
前記現在の修正期間における複数のアクセス情報期間の各々にアクセス情報を伝送することと、なお前記アクセス情報は、前記の少なくとも１つの計数フラグと計数のためのシステムにアクセスするために使用されるアクセス情報とを含む；
を備える、通信システムにおける方法。
【請求項２１】
各アクセス情報期間に、もし適用可能である場合は、前記アクセス情報を変更すること、を更に備える請求項２０記載の方法。
【請求項２２】
任意のアクセス情報期間に、もし適用可能である場合、各サービスに対する前記計数フラッグをリセットすること、を更に備える請求項２０記載の方法。
【請求項２３】
前記修正期間の整数デバイダである前記アクセス情報期間を設定すること、を更に備える請求項２０記載の方法。
【請求項２４】
現在の修正期間における少なくとも１つのサービスに対し少なくとも１つの計数フラグをセットする手段と、なお各サービスに対する前記計数フラグは、もし計数が各サービスに対しイネーブルにされる場合は、前記現在の修正期間の開始時にセットされる；
前記現在の修正期間における複数のアクセス情報期間の各々にアクセス情報を伝送する手段と、なお前記アクセス情報は、前記の少なくとも１つの計数フラグと計数のためのシステムにアクセスするために使用されるアクセス情報とを含む；
を備える、通信システムにおける装置。
【請求項２５】
各アクセス情報期間に、もし適用可能である場合は、前記アクセス情報を変更する手段、を更に備える請求項２４記載の装置。
【請求項２６】
任意のアクセス情報期間に、もし適用可能である場合は、各サービスに対する前記計数フラッグをリセットすること、を更に備える請求項２４記載の装置。
【請求項２７】
第1修正期間における少なくとも1つのサービスに対する少なくとも1つの通知インジケータに対し検知することと、なおもし前記サービスに対する重要信号情報が前記第1修正期間に続く第２修正期間において変更される場合は、各サービスに対する前記通知インジケータは前記第１修正期間においてセットされる；
前記第２修正期間において、前記第１修正期間中にセットされた前記通知インジケータを有する各サービスに対する前記重要信号情報を受け取ることと；
を備える、通信システムにおける方法。
【請求項２８】
何れかのサービスに対する前記重要信号情報が起動時間に関連しているかどうかを決定することと、
もしあれば、前記起動時間に各サービスに対し前記重要信号情報を適用することと、
を更に備える、請求項２７記載の方法。
【請求項２９】
前記第２修正期間において前記重要信号情報への変更を持つ各サービスを識別する変更情報を受け取ることと、
前記変更情報によって識別された、前記少なくとも１つのサービス間で、各サービスに対する前記重要信号情報を受け取ることと、
を更に備える、請求項２７記載の方法。
【請求項３０】
無線機器に割り当てられたページングオケージョンにおいてウェイクアップすることと；
各ページングオケージョンにおいて前記無線機器のためのページングインジケータに対し検知することと、なおここでは、前記少なくとも１つのサービスに対する前記少なくとも１つの通知インジケータは前記無線機器に対する各ページングオケージョンにおいて検知される；
を更に備える、請求項２７記載の方法。
【請求項３１】
第1修正期間における少なくとも1つのサービスに対する少なくとも1つの通知インジケータに対し検知するように作動する復調器と、なおもし前記サービスに対する重要信号情報が前記第1修正期間に続く第２修正期間において変更される場合は、各サービスに対する前記通知インジケータは前記第１修正期間においてセットされる；
前記第２修正期間において、前記第１修正期間中にセットされた前記通知インジケータを有する各サービスに対する前記重要信号情報を受け取るように作動するプロセッサと；
を備える、通信システムにおける装置。
【請求項３２】
何れかのサービスに対する前記重要信号情報が起動時間に関連しているかどうかを決定するように、そして、もしあれば、前記起動時間に各サービスに対し前記重要信号情報を適用するように、作動するコントローラ、
を更に備える、請求項３１記載の装置。
【請求項３３】
前記プロセッサは、前記第２修正期間において前記重要信号情報への変更を持つ各サービスを識別する変更情報を受け取るように、そして、前記変更情報によって識別された、前記少なくとも１つのサービス間で、各サービスに対する前記重要信号情報を受け取るように、作動する、請求項３１記載の装置。
【請求項３４】
前記装置に割り当てられたページングオケージョンを示すように作動するタイマを更に備え、なおここでは、前記復調器は、前記無線機器のためのページングインジケータに対し検知するように、そして、前記無線機器に対する各ページングオケージョンにおいて前記少なくとも１つのサービスに対する前記少なくとも１つの通知インジケータに対し検地するように、作動する、請求項３１記載の装置。
【請求項３５】
第1修正期間における少なくとも1つのサービスに対する少なくとも1つの通知インジケータに対し検知する手段と、なおもし前記サービスに対する重要信号情報が前記第1修正期間に続く第２修正期間において変更される場合は、各サービスに対する前記通知インジケータは前記第１修正期間においてセットされる；
前記第２修正期間において、前記第１修正期間中にセットされた前記通知インジケータを有する各サービスに対する前記重要信号情報を受け取る手段と；
を備える、通信システムにおける装置。
【請求項３６】
何れかのサービスに対する前記重要信号情報が起動時間に関連しているかどうかを決定する手段と、
もしあれば、前記起動時間に各サービスに対し前記重要信号情報を適用する手段と、
を更に備える、請求項３５記載の装置。
【請求項３７】
前記第２修正期間において前記重要信号情報への変更を持つ各サービスを識別する変更情報を受け取る手段と、
前記変更情報によって識別された、前記少なくとも１つのサービス間で、各サービスに対する前記重要信号情報を受け取る手段と、
を更に備える、請求項３５記載の装置。
【請求項３８】
前記装置に割り当てられたページングオケージョンにおいてウェイクアップする手段と；
前記装置のためのページングインジケータに対し、そして、前記装置に対する各ページングオケージョンにおける前記少なくとも１つのサービスに対する前記少なくとも１つの通知インジケータに対し、検知する手段と；
を更に備える、請求項３５記載の装置。
【請求項３９】
現在の修正期間における少なくとも１つのサービスに対する少なくとも１つの計数フラグに対し検知することと、なお各サービスに対する前記計数フラグは、もし計数が前記各サービスに対しイネーブルにされる場合は、前記現在の修正期間の開始時にセットされる；そして
もし前記計数フラグが前記少なくとも１つのサービスの何れかの１つに対しセットされる場合は、
アクセス情報を受け取ることと、そして
前記受け取られたアクセス情報に従ってシステムにアクセスするように試みることと；
を備える、通信システムにおける方法。
【請求項４０】
前記現在の修正期間における各アクセス情報期間に対し、
前記現在の修正期間の開始時にセットされた前記計数フラグを有する各サービスのための前記計数フラグに対し検知することと、そして
もし前記計数フラグが、前記少なくとも１つのサービスの何れかの１つのための前記アクセス情報期間において依然とセットされる場合は、
アクセス情報を受け取ることと、そして
前記受け取られたアクセス情報に従って前記システムにアクセスするように試みることと；
を更に備える、請求項３９記載の方法。
【請求項４１】
もし前記少なくとも１つのサービスに対する前記少なくとも１つの計数フラグがリセットされる場合は、システムアクセスを終了すること、を更に備える請求項３９記載の方法。
【請求項４２】
もし前記システムとの接続が確立される場合は、システムアクセスを終了すること、を更に備える請求項３９記載の方法。
【請求項４３】
現在の修正期間における少なくとも１つのサービスに対する少なくとも１つの計数フラグに対し検知する手段と、なお各サービスに対する前記計数フラッグは、もし計数が前記サービスに対しイネーブルにされる場合は、前記現在の修正期間の開始時にセットされる；
もし前記計数フラグが前記少なくとも１つのサービスの何れかの１つに対しセットされる場合は、クセス情報を受け取る手段と；そして
もし前記計数フラグが前記少なくとも１つのサービスの何れかの１つに対しセットされる場合は、前記受け取られたアクセス情報に従って前記システムにアクセスするように試みる手段と；
を備える、通信システムにおける装置。
【請求項４４】
前記現在の修正期間における各アクセス情報期間において、前記現在の修正期間の開始時にセットされた前記計数フラグを有する各サービスのための前記計数フラグを検知する手段と、
もし前記計数フラグが前記少なくとも１つのサービスの何れかの１つのための前記アクセス情報期間において依然とセットされる場合は、アクセス情報を受け取る手段と、そして
もし前記計数フラグが前記少なくとも１つのサービスの何れかの１つのための前記アクセス情報期間において依然とセットされる場合は、前記受け取られたアクセス情報に従って前記システムにアクセスすることを試みる手段と；
を更に備える、請求項４３記載の装置。
【発明の詳細な説明】
【技術分野】
【０００１】
（米国特許法第１１９条による優先権の主張）
本特許出願は、「マルチメディア ブロードキャスト／マルチキャスト サービス（ＭＢＭＳ）通知及び計数の手続き」(Multimedia Broadcast/Multicast Service (MBMS) Notification and Counting Procedures)と題され、２００４年２月１０日に出願され、これの譲受人に譲渡され、ここに言及することにより明示的に組み込まれる、米国特許仮出願シリアル番号第６０／５４４，１４７号の優先権を主張する。
【０００２】
（分野）
本発明は、概して通信に関連し、より具体的には、通信システムにおけるブロードキャスト及びマルチキャストサービス(broadcast and multicast services)のための信号情報伝送技術(techniques for transmitting signaling information)に関する。
【背景技術】
【０００３】
通信システムは、ユニキャスト、マルチキャスト、及び／又は、ブロードキャストのサービスを提供できる。ユニキャストサービスは、少なくとも１つの基地局と特定の無線機器(a specific wireless device)との間のポイントーツーポイント通信(point-to-point communication)を提供する。マルチキャストサービスは、少なくとも１つの基地局と一団の無線機器(a group of wireless devices)との間のポイントーツーマルチポイント通信(point-to-multipoint communication)を提供する。ブロードキャストサービスは、少なくとも１つの基地局と指定されたブロードキャストエリア内の全ての無線機器(all wireless devices within a designated broadcast areaとの間のポイントーツーマルチポイント通信を提供する。マルチキャストとブロードキャストのサービスの内のいくつかの例は、ニュース、データサービス、加入ベースのサービス(subscription-based services)、プッシューツートーク(push-to-talk)など、を含んでいる。マルチキャストとブロードキャストのサービスは、無線機器にデータを、散発的に、定期的にあるいは連続的に送ることができる。
【０００４】
システムは、システムによってサポートされたブロードキャストとマルチキャストのサービスに対し信号情報(signaling information)を送る必要があるかもしれない。この信号情報はまた、オーバヘッド情報(overhead information)、システム情報(system information)など、と呼ばれことができ、制御信号(control information)、コンフィギュレーション情報(configuration information)、そして、サービスを受信するために使用される他の関連情報を含むことができる。システムは、コントロールチャネル上で信号情報を伝送する(transmit)ことができる。１つ以上のサービスを受ける無線機器は、そのとき、受信されているサービスに対し送られた信号情報のためのコントロールチャンネルをモニタするだろう。バッテリーパワーを保持し、又、他の利益を得るために、無線機器が、コントロールチャンネルから関連信号情報を迅速且つ効率的な方法で受け取ることが出来るのが望ましい。
【０００５】
それ故に、ブロードキャスト及びマルチキャストサービスのための信号情報をこの情報の効率的な受信を容易にする方法で伝送する技術に対して、技術的な必要性がある。
【発明の開示】
【０００６】
［要約］
ブロードキャストとマルチキャストのサービスのための信号情報を伝送する技術がここに説明される。一実施例においては、信号情報は、「重要」信号情報("critical" signaling information)と「非重要」信号情報("non-critical" signaling information.)と呼ばれる２つのカテゴリに整理される。重要信号情報は、サービスのコンテンツ(content for services)を受け取るために必要とされる信号情報を含む。非重要信号情報は他のすべての信号情報を含んでいる。
【０００７】
１面においては、基地局は、例えば、繰り返し期間(a repetition period)、修正期間(a modification period)、そしてアクセス情報期間(an access info period)を含むスケジュールに従い、各サービスに対する信号情報を伝送する(transmits)。修正期間は繰り返し期間の整数倍(an integer multiple of the repetition period)であるかもしれない、そして、アクセス情報期間は繰り返し期間の整数デバイダ(an integer divider of the repetition period)であるかもしれない。基地局は、無線機器が速くこの情報を得ることを可能にするために、現在の(current)修正期間の各繰り返し期間において信号情報を伝送する。現在の修正期間の重要信号情報へのどんな変更(any change)も、その次の修正期間の開始時に(at the start)伝送される。もし所定のサービス(a given service)に対する重要信号情報への変更が次の修正期間において伝送される場合は、そのとき、サービスに対する通知インジケータ(a notification indicator)が、無線機器に差し迫った変更(the impending change)を知らせるために、現在の修正期間全体の間(for the entire current modification period)、セットされる。無線機器は、通知インジケータが現在の修正期間においてセットされているのを検知でき(can detect)、そのあと、その次の修正期間において、更新された重要信号情報(updated critical signaling information)を読み出すことができる(can retrieve)。
【０００８】
別の面においては、基地局は、サービスを受ける無線機器の数(the number of wireless devices)を数え(count)、又サービスのために使用するベストの伝送メカニズム(the best transmission mechanism)を決定するために、所定のサービスに対し計数手続き(a counting procedure)を行なうことができる。基地局は、サービスに対し計数をイネーブルにするために(to enable counting)、修正期間の開始時に各サービスに対する計数フラッグ(a counting flag)をセットできる。基地局は、各アクセス情報期間において、アクセス情報と同様に各サービスのための計数フラグを送ることができる。もし無線機器が、機器によって受け取られている何れかのサービスに対し計数フラグがセットされているのを検知すると、そのとき無線機器は、アクセス情報を読み出し、アクセス情報に従ってシステムにアクセスするように試みる。各アクセス情報期間に、アクセス情報は変更されることができ、また、計数フラグはリセットされることができる。
【０００９】
本発明の様々な面と実施例は、以下に更に詳細に説明される。
【００１０】
［詳細な説明］
用語「例示的な(exemplary)」は、「例(example)、実例(instance)、又は例証(illustration)である」を意味するようにここでは使用されている。「例示的な」としてここに説明されるどの実施例も、必ずしも他の実施例よりも好ましい又は有利であるとして解釈されるべきでない。
【００１１】
図１は、ブロードキャストとマルチキャストのサービスをサポートできる無線通信システム１００を示す。システム１００は、無線機器(wireless devices)１２０と通信する基地局１１０(base stations)を含む。簡単にするために、２つの基地局１１０及び６個の無線通信機器１２０のみが図１の中で示される。基地局は、固定局(a fixed station)であり、また、ノードＢ(a Node B)、ベース トランシーバ サブシステム(a base transceiver subsystem)（ＢＴＳ）、アクセス ポイント(an access point)、あるいは何らかの他の用語、と呼ばれることもできる。無線機器は、固定されてもよいし又はモバイル(mobile)でもよいし、又、ユーザー機器(a user equipment)（ＵＥ）、移動局(a mobile station)、端末(a terminal)、あるいは何らかの他の用語、と呼ばれることもできる。
【００１２】
無線ネットワークコントローラ（ＲＮＣ）１３０は、基地局１１０に結合し、これらの基地局に調整及び制御を提供する。ＲＮＣ１３０も又、基地局コントローラ（ＢＳＣ）あるいは他の何らかの専門用語、と呼ばれることもできる。コアネットワーク（ＣＮ）は、ＲＮＣ１３０そして他のシステム及びネットワーク、例えば公衆交換電話網（ＰＳＴＮ）、パケット交換データネットワーク、など、に結合する。コアネットワーク１３２は、システム１００とこれらの他のシステム及びネットワークを相互結合する。
【００１３】
システム１００は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、あるいは何らかの他の多元接続システムかもしれない。ＣＤＭＡシステムは、広帯域ＣＤＭＡ（Ｗ−ＣＤＭＡ）やｃｄｍａ２０００のような１つ以上のＣＤＭＡ無線アクセス技術（ＲＡＴｓ）をインプリメントできる。ｃｄｍａ２０００は、ＩＳ−２０００、ＩＳ−８５６、及びＩＳ−９５標準規格を含む。ＴＤＭＡシステムは、汎欧州デジタル移動電話方式(Global System for Mobile Communications)（ＧＳＭ）のような１つ以上のＴＤＭＡ ＲＡＴｓをインプリメントできる。これらの様々なＲＡＴｓ及び標準技術は本技術分野においてはよく知られている。ＵＭＴＳは、無線アクセス技術としてＷ−ＣＤＭＡ及び／又はＧＳＭを使用するシステムであり、「第３世代パートナーシッププロジェクト」（３ＧＰＰ）と名付けられたコンソーシアムからのドキュメントに説明されている。ｃｄｍａ２０００は、「第３世代パートナーシッププロジェクト２」（３ＧＰＰ２）と名付けられたコンソーシアムからのドキュメントに説明されている。３ＧＰＰと３ＧＰＰ２のドキュメントは公に入手可能である。理解しやすいように、特にＵＭＴＳのための信号伝送技術(the signaling transmission)が、以下に説明される。これらの技術は、ＵＭＴＳにおいて、マルチメディア ブロードキャスト マルチキャスト サービス(multimedia broadcast multicast service)（ＭＢＭＳ）用に使用されることができる。
【００１４】
ＵＭＴＳにおいて、ページインジケータチャンネル(a Page Indicator Channel)（ＰＩＣＨ）が、アイドル無線機器(idle wireless devices)にページングインジケータ(paging indicators)を送るために使用される。アイドル無線機器は、ＰＩＣＨとＭＩＣＨが有用な無線機器である。アイドル無線機器は、アイドルモードで作動する無線機器、ＲＲＣ接続モードであるがＣＥＬＬ＿ＰＣＨ／ＵＲＡ＿ＰＣＨ状態で作動する無線機器、であり得る。各アイドル無線機器に対するページングインジケータは、メッセージが、無線機器のためにページングチャンネル（ＰＣＨ）上で送信されたのかどうかを示す。ＰＣＨは、第２共通制御物理チャンネル(a Secondary Common Control Physical Channel)（Ｓ−ＣＣＰＣＨ）の中で搬送される伝送チャネル(a transport channel)である。各アイドル無線機器は、そのページングインジケータのためのＰＩＣＨをモニタする。もしこれらのページングインジケータが「１」にセットされる場合は、そのとき、無線機器は、無線機器のために送信された何らかのメッセージを捜すためにＳ−ＣＣＰＣＨを処理する。
【００１５】
図２Ａは、ＵＭＴＳにおけるＰＩＣＨのフォーマットを示す。ＰＩＣＨは、フレーム(frames)に分割され(partitioned)、各フレームは、１０ミリ秒（ｍｓ）の存続期間(duration)を有する。各フレームは、プライマリＣＣＰＣＨ（Ｐ−ＣＣＰＣＨ）上で同時に伝送される１２ビットシステムフレーム番号(system frame number)（ＳＦＮ）によって識別される。ＳＦＮは、特定の時間に０にリセットされ、そのあと各フレームに対し１だけインクリメントされ、４０９５の最大価値に達した後に０にラップする(wrap around)。
【００１６】
各アイドル無線機器は、無線機器がそのページングインジケータを受け取ることができる特定のフレーム(specific frames)であるページングオケージョン(paging occasions)が割り当てられる。各無線機器に対するページングオケージョンは、ＤＲＸ（不連続受信モード(discontinuous receiving mode)）サイクルと呼ばれる時間間隔によって分離される。ＤＲＸサイクルは、各無線機器に対しコンフィグレーションを行なうことが可能(configurable)であり、典型的に１．２８秒である。一般に、ＤＲＸサイクルは、８０ミリ秒（ｍｓ）から５．１２秒まで、或いは８フレームから５１２フレームまで、の範囲であり得る(can range)。各無線機器のページングオケージョンは、国際移動電話加入者識別子(an International Mobile Subscriber Identifier)（ＩＭＳＩ）を含むいくつかのパラメータに基づいて決定される。それは各無線機器に対し固有の識別子である。異なるＩＭＳＩを持った異なる無線機器は、たとえそれらが同じＤＲＸサイクルを持っても、異なるページングオケージョンを割り当てられることができる。
【００１７】
図２Ｂは、ＰＩＣＨのための１つのフレームのフォーマットを示す。各ＰＩＣＨフレームは、３００ビットを含み、それらはビットｂ０からｂ２９９までとおしてラベル表示されている。最初の２８８ビットは、Ｎｐページングインジケータに対し使用され、そして最後の１２ビットはリザーブされている(reserved)。各ＰＩＣＨフレーム中のページングインジケータ（Ｎｐ）の数は、システムによってコンフィギュレーションされることができ、１８、３６、７２或いは１４４の値をとることができる。各ページングインジケータは、ＰＩＣＨフレーム中の２８８／Ｎｐ連続ビットの中で送られる、なお、２８８／Ｎｐは、１６、８、４或いは２の値をとることができる。２８８／Ｎｐビットは全て、もしページングインジケータが「１」に等しい場合は、「１」にセットされ、もしページングインジケータが「０」に等しい場合は、「０」にセットされる。Ｎｐページングインジケータは、０からＮｐ−１（図２Ｂの中で示されない）までとおして番号が付けられるＮｐページングインジケータ位置(locations)に送られる。
【００１８】
各アイドル無線機器は、そのＩＭＳＩに基づいた特定のＰＩ値にマッピングされる(mapped)。無線機器は又、各ページングオケージョンにおいてページングインジケータが割り当てられる。このページングインジケータは、ハッシュ関数ｆｐｉ（ＰＩ、ＳＦＮ）に基づいて決定される位置に送られる。無線機器のためのページングインジケータの位置は、無線機器用のＩＭＳＩとページングオケージョン用のＳＦＮとの両方によってこのように決定される。
【００１９】
ＵＭＴＳにおいて、ＭＢＭＳインジケータチャンネル（ＭＩＣＨ）は、更新された信号情報(updated signaling information)がＭＢＭＳポイントーツーマルチポイントコントロールチャンネル(an MBMS point-to-multipoint Control Channel)（ＭＣＣＨ）上で送られつつあるのかどうかを示すＭＢＭＳ通知インジケータ（又は単に、通知インジケータ）を送るために使用される。ＭＣＣＨは伝送チャネルであり、それも又、Ｓ−ＣＣＰＣＨの中で搬送される。ＭＣＣＨ上の信号情報は、無線機器がＭＢＭＳポイントーツーマルチポイントトラフィックチャンネル（ＭＴＣＨ）を受け取ることを許可する。信号情報は、例えば、どのサービスがアクティブであるのか、ＭＴＣＨをどのようにデコードするのか、ソフトな結合が可能であるかどうか、など、を示す。ＭＴＣＨは、サービスのためのコンテンツ又はトラフィックデータを搬送する伝送チャネルである。
【００２０】
ＭＩＣＨは、図２Ｂの中で示されるＰＩＣＨフォーマットに似ているフォーマットを有する。各ＭＩＣＨフレームは、３００ビットを含み、ビットｂ０からｂ２９９までを通してラベル表示される。最初の２８８ビットはＮｎ通知インジケータに対し使用され、また、最後の１２ビットがリザーブされる。各ＭＩＣＨフレーム中の通知インジケータ（Ｎｎ）の数は、システムによってコンフィギュレーションされることができ(configurable)、１８、３６、７２或いは１４４の値をとることができる。各通知インジケータは、ＭＩＣＨフレーム中の２８８／Ｎｎ連続ビットの中で送られる、なお、２８８／Ｎｎは、１６、８、４或いは２の値をとることができる。Ｎｎ通知インジケータは、０からＮｎ−１までとおして番号が付けられるＮｎインジケータ位置に送られる。通知インジケータは又、各ＰＩＣＨフレームにおける最後の１２ビットを使用して送られることができる。
【００２１】
各マルチキャスト／ブロードキャストサービスは、そのサービスを識別する一時的モバイルグループ識別情報(a Temporary Mobile Group Identity)（ＴＭＧＩ）に基づいた特定のＮＩ値にマッピングされる。サービスは又、通知インジケータが割り当てられ、それは、ハッシュ関数ｆｎｉ（ＮＩ、ＳＦＮ）に基づいて決定される位置に送られる。サービスのための通知インジケータの位置は、サービス用のＴＭＳＩとフレーム用のＳＦＮとの両方によってこのように決定される。サービスのための通知インジケータは、更新された信号情報がサービスのためにＭＣＣＨ上で送られつつあるのかどうかを示すために使用される。各無線機器は、無線機器によって望まれたサービス（或いは「所望のサービス」）の全てに対しモニタする。何れかの所望のサービスに対し通知インジケータが「１」にセットされる時は常に、無線機器は更に、そのサービスのために送られた更新された信号情報を捜すためにＳ−ＣＣＰＣＨを処理する。
【００２２】
ＭＣＣＨは、ブロードキャストとマルチキャストのサービスをサポートするために使用される信号情報を搬送する(carries)。無線機器は、例えば次のような様々な理由のためにＭＣＣＨを読む必要があり得る：
・サービスを開始／終了；
・サービス特定再位置情報を変更(Change service specific re-location information)；
・ＭＴＣＨのためのＳ−ＣＣＰＣＨ情報（コード、ＴＦＣＳ）を変更；
・ＭＴＣＨのための無線ベアラ(radio bearer)（ＲＢ）情報を変更；そして
・ＵＭＴＳによって定義されそして以下に説明されるような計数／再計数を開始。
【００２３】
実施例では、信号情報は、ＭＣＣＨ上でスケジュールに従って送られる。ＭＣＣＨスケジュールは、ブロードキャストコントロールチャンネル（ＢＣＣＨ）上で送られ、全ての無線機器に利用可能とされることができる。一実施例では、ＭＣＣＨスケジュールは、繰り返し期間、修正期間そしてアクセス情報期間を含み、それはテーブル１に説明されている。
【表１】
2007522776.tif 000003
【００２４】
ＭＣＣＨスケジュールは又、ＭＣＣＨ伝送の始まり(beginning)を含んでいる特定のフレーム或いは伝送時間間隔（ＴＴＩ）を識別する。同じＭＣＣＨスケジュールは、以下に説明されるように、サービスのための信号情報の送信と受信の両方(both transmission and reception)を簡単にするために全てのサービスに対し使用されてもよい。或いは、異なるサービス又は異なるグループのサービスは、異なるＭＣＣＨスケジュールを使用してもよい。ＭＣＣＨスケジュールの様々な部分が以下に更に詳細に説明される。
【００２５】
テーブル２は、ブロードキャストとマルチキャストのサービスをサポートするために使用される様々なチャネルを一覧表示する
【表２】
2007522776.tif 000004
【００２６】
ＭＣＣＨ上で送られる信号情報は、重要信号情報と非重要信号と呼ばれる２つのカテゴリに整理されることができる。信号情報は、サービス独立情報(service independent information)、及び／又は、サービス特定情報(service specific information)かもしれない。重要信号情報は、サービスのためのＭＢＭＳコンテンツを受け取るために必要とされる信号情報を含む。例えば、重要信号情報は、ＭＢＭＳの隣接したセル情報(MBMS neighboring cell information)、ＭＢＭＳサービス情報(MBMS service information)、そしてＭＢＭＳ無線ベアラ情報(MBMS radio bearer information)を含むかもしれない。非重要信号情報は、重要信号情報でない全ての信号情報を含む。例えば、非重要信号情報は、ＭＢＭＳアクセス情報(MBMS access information)を含むかもしれない。これらの様々なタイプのＭＢＭＳ信号情報は、公的に入手可能なドキュメント３ＧＰＰ ＴＳ、２５．３４６に説明されている。
【００２７】
図３Ａは、ＭＣＣＨ上の信号伝送(signaling transmission)の一実施例を示す。サービスをモニタすることを丁度開始した無線機器が情報を受け取ることを可能とするように、各サービスに対する信号情報は、全ての繰り返し期間において、ＭＣＣＨ上で周期的に送られる。これらの無線機器は、たった今電源を入れ、サービスに丁度関係を持ち(just become interested in)、及び／又は、セル(cell)を丁度変えたのかもしれない。これらのシナリオの全て（多分セルを代えるシナリオを別にして）に対し、無線機器は、信号情報を取得する際、比較的長い遅れに耐えることができる。繰り返し期間は、信号オーバヘッド(signaling overhead)を減らすために、このように比較的長くされることができる。一般に、繰り返し期間は、任意の持続時間(any time duration)でよく、任意の数のフレームにわたってもよい(may span)。
【００２８】
信号情報は、各繰り返し期間の最初のフレームにおいてスタートするＭＣＣＨ上で、そして必要とされるだけ多くのフレームの間、送られることができる。繰り返し期間は、このように、ＭＣＣＨ伝送の始まりを識別する。ＭＣＣＨ伝送の存続期間は、指定される必要がなく、Ｓ−ＣＣＰＣＨの中で送られるトランスポートフォーマットコンビネーションインジケータ(a transport format combination indicator)（ＴＦＣＩ）から決められることができる。無線機器は、機器が、（１）全てのＭＣＣＨ情報が受け取られたこと、（２）Ｓ−ＣＣＰＣＨのために、どんなＭＣＣＨデータも含まないＴＴＩが受け取られること、又は、（３）ＭＣＣＨ上の受け取られた信号情報が、更なるＭＣＣＨの受信は要求されていないことを示していること（例、所望のサービスの何れに対しても信号情報への変更がない場合）、を決定するまで、Ｓ−ＣＣＰＣＨを処理し続けることができる。無線機器は、該３つの条件のうちの何れかの１つが発生すると、ＭＣＣＨデータのためのＳ−ＣＣＰＣＨを処理することを停止できる。
【００２９】
修正期間は、任意の数の繰り返し期間にわたることができ(can span)、重要信号情報が変更されることができる時間を表わす。図３Ａにおいて、異なるマーキング（例、斜めハッシング、グレイシェーディング、そしてクロスハッシング）が、異なる修正期間におけるＭＣＣＨに対し使用され、ＭＣＣＨ上で送られている潜在的に異なる信号情報を表わす。ＭＣＣＨ上で送られた重要信号情報における変更を時間的に整合することは(time aligning)、ＭＣＣＨを読むのが有用であるかもしれないのが何時かを無線機器が知ることを可能にする。この時間的整合(time alignment)は又、更新された重要信号情報を送る際に、ある程度の制限のみならずいくつかの更なる遅れの原因となる。非重要信号情報は、いつでも、例えば、何れの繰り返し期間の中でも、変更されることができる。
【００３０】
図３Ｂは、ＭＣＣＨ上の信号伝送の別の実施例を示す。各サービスに対する信号情報は、全ての繰り返し期間におけるＭＣＣＨ上で周期的に送られ、そして、図３Ａの場合に上記に説明されたように、重要信号情報は、各修正期間において変更されることができる。各修正期間の初めに、システムは又、例えば、その重要信号情報がその修正期間中に変更されるサービスの識別子、を含んでいるかもしれないＭＢＭＳ変更情報を伝送する。変更情報は、各修正期間中に少なくとも一度送られることができる。無線機器は、変更情報を読むことができ、所望のサービスの何れかに対する更新された信号情報を機器が読む必要があるかどうかを速く確認できる。
【００３１】
通知メカニズム(a notification mechanism)が、ＭＣＣＨ上で送られた重要信号情報における来るべき変更(an upcoming change)を無線機器に通知するために使用される。実施例においては、通知メカニズムは、ＭＩＣＨを使用してインプリメント(implemented)される。ＭＩＣＨは、通知インジケータ(notification indicators)を搬送し、これらは、これらのインジケータにマッピングされたサービスに関係を持つ(interested in)無線機器に、更新された信号情報のためにＭＣＣＨを読むことを促す。全てのサービスに対し通知インジケータは、チャネルエラーに対し高い耐性がある方法で送られることができる。ＭＩＣＨは、各サービスに対し単一ビットの情報を搬送する、そして無線機器は、ＭＩＣＨ上で受け取られた情報が正しい（ｎｏ ＣＲＣ）のかどうかを確証する(verify)ことは出来ない。又、ＭＣＣＨは、ＲＬＣ−無応答モード(an RLC-unacknowledged mode)（ＵＭ）を使用してＳ−ＣＣＰＣＨ上で伝送され、そして、無線機器は、それを正確に解読する(decode)前に１つの或いは２つのＭＣＣＨ伝送さえ逃すかもしれない。無線機器は、重要情報を解読することができる前に１つ以上の繰り返し期間の間待たなければならないかもしれず、そして全ての努力の後、無線機器はそれが間違った警報であったことを知るかもしれない。信頼できる通知が、ＭＣＣＨの不要な受信を回避するのに役立つ。
【００３２】
第２に、通知インジケータは、無線機器がそれらのページングオケージョンの間に通知インジケータを検知することを可能にする方法で、ＭＩＣＨ上で送られることができ、それはバッテリー消費を減らすことができる。通知インジケータは又、様々なＭＢＭＳに関連する状態(various MBMS-related states)にある無線機器がこれらのインジケータを受け取ることができるように、送られるべきである。これらは、現れるサービスを予期する無線機器、積極的にサービスをモニタするが他のサービスに関係する無線機器、そして、丁度スイッチが入ったか、丁度他のセルから移動したか、或いはＭＢＭＳに関係しつつある無線機器、を含む。
【００３３】
図４は、ＭＩＣＨ及びＭＣＣＨ上の伝送の一実施例を示す。各サービスは、各フレームにおけるＭＩＣＨ上に通知インジケータが割り当てられる。一実施例では、各サービスに対する通知インジケータは、そのサービスのための重要信号情報における変更に先行する修正期間の間ずっと(for the entire modification period preceding a change)、「１」にセットされる。
【００３４】
無線機器は、異なるフレームにおいて（例、それらのページングオケージョンにおいて）ＭＩＣＨを読むことができ、非同期の方法でＭＣＣＨを読むことの必要に気づくことができる。無線機器は又、ＭＣＣＨスケジュールにも気づき、次の修正期間の初めにＭＣＣＨを受け取ることを開始する準備ができている。ＭＩＣＨ上で送られる通知インジケータのタイミングが、ＭＣＣＨのタイミングについての何らかの情報を伝えることは必要ではなく、それは、ＰＩＣＨ及びＰＣＨのタイミングが関連づけられるのでＰＩＣＨ及びＰＣＨのケースである。
【００３５】
先の修正期間にセットされている所望のサービスのための通知インジケータを検知した無線機器は、現在の修正期間(the current modification period)の開始時にＭＣＣＨを読むことができる。図４において示されるように、更新された信号情報は、現在の修正期間における最初のＭＣＣＨ伝送の直ぐ後に（例、直ちに）再伝送されることができる。ＭＣＣＨ上のこの迅速な再伝送は、信頼性を改善し、全ての或いは殆どの無線機器がＭＣＣＨ上の更新された信号情報をできるだけ早く受け取ることが出来ることを確実に出来る。
【００３６】
図５は、ＰＩＣＨ、ＭＩＣＨ、ＭＣＣＨ及びＭＴＣＨ上の例示的な伝送を示す。図５の最上部に示されるように、各アイドル無線機器のためのページングインジケータは、無線機器のためのページングオケージョンにおけるＰＩＣＨ上で送られる。各サービスのための通知インジケータは、ＭＩＣＨ上で各フレームの中で送られ、修正期間ずっと、同じ通知値(notification value)（「１」又は「０」の何れか）にセットされる。通知インジケータは、サービスのための重要信号情報における変更の直前の修正期間の間ずっと「１」にセットされる。
【００３７】
修正期間は、全ての無線機器が（できるだけ最長のＤＲＸサイクルを有する無線機器でさえ）ＭＩＣＨを処理することが出来、修正期間の間に各所望のサービスに対し少なくとも１つの通知インジケータを確実に検知出来るように、十分に長く選択される。これは、殆どのアイドル無線機器が、それらのページングオケージョンにおいて所望のサービスに対する通知インジケータと同様にそれらのページングインジケータも受け取ることを可能にし、それはバッテリー消費を減らすことができる。修正期間よりも短いＤＲＸサイクルを有する無線機器は、各ＤＲＸサイクルにおけるそのページングオケージョンの間にＭＩＣＨを読むことが出来る。修正期間よりも長いＤＲＸサイクルを有する無線機器は、ＭＩＣＨ上で送られた通知インジケータを読むためにそのページングオケージョン間にウェイクアップ(wake up)出来る。長いＤＲＸサイクルを持った無線機器が余りにも頻繁にウェイクアップする必要がないように、修正期間は、予め定められたミニマム存続期間(a predetermined minimum duration)（例、２秒）に等しいか、又はより長くに選択されることができる。無線機器のためのＤＲＸサイクルは又、予め定められたマキシマム存続期間（例、５．１２秒）に制限されることができる。どのようにＤＲＸサイクルと修正期間とがコンフィグレーションされる(configured)かによって、無線機器は、各修正期間における各所望のサービスに対し１つ又は複数の(one or multiple)通知インジケータを読むことが出来るかもしれない。
【００３８】
各無線機器は、所望のサービスのための通知インジケータをモニタする。所望のサービスのための通知インジケータがセットされているのを無線機器が検知する時、無線機器は、そのサービスのための更新された重要信号情報を捜すために次の修正サイクルの初めにＭＣＣＨを読むことを試みる。無線機器は又、それがＭＢＭＳ変更情報を少なくとも解読するためにとる時間の間、ＭＣＣＨを読む。無線機器は又、それがＭＣＣＨを正確に解読するためにとる時間の間、或いはＭＣＣＨ上の連続的な伝送が中断されるまで、ＭＣＣＨを読む。無線機器は、たとえ機器がＳ−ＣＣＰＣＨを正確に解読することができない場合でも、Ｓ−ＣＣＰＣＨのためにＴＦＣＩを使用するＭＣＣＨ伝送の終了を検知することが出来る。無線機器は又、もしＭＢＭＳ変更情報が所望のサービスのうちの何れに対しても重要信号情報への変更を示さない場合は、ＭＣＣＨの処理を終了できる。
【００３９】
ＭＣＣＨ上で送られた信号情報の更新は、例えば、Ｓ−ＣＣＰＣＨ又はＭＴＣＨの再コンフィギュレーション(re-configurations)のような、ＭＴＣＨ上の重要変更、を反映することができる。更新された信号情報は、ＭＴＣＨ上で送られたコンテンツのスムーズな受信を確かなものとするために、送信機及び受信機で同期して適用されることが必要かもしれない。その場合、更新された信号情報は、起動時間(an activation time)に関連しているかもしれない。この起動時間は、いつ信号情報が適用されるべきかを示す。起動時間は、修正サイクルの開始に対して定義されることができ、繰り返しサイクル、フレーム、など、の単位で(in units)与えられることができる。これは、起動時間が効率的な方法で伝えられことを可能にする。更新された信号情報及びその起動時間は、信号情報を受け取りそして適用するための十分な時間を無線機器に与えるために、起動時間よりもある時間量先立って(some amount of time in advance of )送られることができる。
【００４０】
図５は、更新された信号情報の受信を改善するための、修正期間における第１ＭＣＣＨ伝送の直後のＭＣＣＨ上の早期再伝送(an early retransmission)を示す。第１ＭＣＣＨ伝送と早期再伝送は、両方とも、早期再伝送の終了の後に発生する同じ起動時間に関連している。
【００４１】
更新された信号情報がＭＣＣＨ上で送られる時間と起動時間との間の所定のサービスをモニタすることを開始する無線機器は、進行中のサービス(the ongoing service)を受け取ることができないだろう。然しながら、これらの無線機器は、起動時間によって、ＭＴＣＨのための差し迫った変更に気づくであろう。従って、この存続時間(time duration)は、それが比較的短い限り、動作上(on performance)は重大な要影響を持たない。
【００４２】
図３Ａから図５まで通して示されるように、ＭＣＣＨのためのスケジュールは、次の特徴を有する：
・信号情報は、繰り返し期間に基づきＭＣＣＨ上で繰り返される；
・重要信号情報の変更は、繰り返し期間の複数倍(multiple times)である修正期間の中央では行なわれない;
・ＭＩＣＨ上の通知インジケータは、ＭＣＣＨ上で送られた重要信号情報の変更に先行する修正期間の間ずっとセットされる；
・無線機器は、それらの都合のよい時にＭＩＣＨをモニタするが、任意の修正期間内での良い検知の確率(good detection probability)を確かにする；そして
・通知インジケータがＭＩＣＨ上でセットされているのを検知すると同時に、無線機器は、ＭＣＣＨ上の更新された信号情報が正確に解読されるまで次の修正期間におけるＭＣＣＨを処理することを開始する。
【００４３】
ＵＭＴＳは、与えられたＭＢＭＳサービスを受ける無線機器の数（the number of wireless devices）を決定するために、計数／再計数の手続き(a counting/re-counting procedure)を利用する。システムは、この情報を、サービスのための最適の伝送メカニズムを決定するために、例えば、ポイントーツーポイント（ｐ−ｔ−ｐ）チャンネル或いはポイントーツーマルチポイント（ｐ−ｔ−ｍ）チャンネルを使ってサービスを送るかどうかを決めるために、使用する。ｐ−ｔ−ｐチャンネルは、もし少数の無線機器だけ(only a few wireless devices)がサービスを受ける場合は、より効率的かもしれない。ｐ−ｔ−ｍチャンネルは、もしより多くの無線機器 (a more wireless devices)がサービスを受ける場合は、より効率的かもしれない。
【００４４】
計数／再計数の手続きは、２つのパラメータ− 計数フラグ(a counting flag)とアクセスバックオフパラメータ(an access back-off parameter) を利用する。計数フラグは、計数(counting)がイネーブルにされている(enabled)のか或いはディスエーブルされている(disabled)のかを示すビット(a bit)であり、又、計数インジケータ(a counting indicator)、計数表示(a counting indication)、アクセスフラグ(an access flag)、などと呼ばれることもできる。アクセスバックオフパラメータは、計数手続きのためのシステムへのアクセスを制御する。
【００４５】
与えられたサービスのための計数手続きをイネーブルにするために、システムはそのサービスのために計数フラッグをセットし、それはそのあと、システムとの無線リソースコントロール(a Radio Resource Control)（ＲＲＣ）接続を確立するためにサービスを受けるアイドル無線機器をリクエストする。システムは、ＭＣＣＨ上のアクセス情報を周期的に送り、それは、必要ならばＲＲＣ接続を確立して、信号メッセージ(a signaling message)の伝送をトリガする(trigger)ためにアイドル無線機器によって使用される。アクセス情報は、アクセスバックオフパラメータと多分他の関連情報とを含んでいる。アクセスバックオフパラメータは、無線機器がＲＲＣ接続手続きを試みる必要のある見込みを示す確率因子(a probability factor)（ＰＦ）を定義する。アクセスバックオフパラメータは、ＲＲＣ接続確立リクエストによるアップリンク(uplink)上のローディング(loading)をコントロールするために使用される。これは、多くの無線機器が計数目的のために同時にＲＲＣ接続モード(the RRC connected mode)にされるのを回避する。
【００４６】
図６は、計数のためのＭＩＣＨ及びＭＣＣＨ上の例示的な伝送を示す。サービスのための計数フラグは、計数がサービスに対しイネーブルにされる時はいつもセットされる。計数フラグ及びアクセス情報は、各アクセス情報期間中に周期的にＭＣＣＨ上で送られることができる。アクセス情報期間は、（１）アクセス関連情報（例、計数フラグ及びバックオフパラメータ）が、アクセス手続きの良好な制御を可能とするのに十分頻繁に伝送され、そして、（２）無線機器（システムをモニタすることを開始した新しい無線機器を含む）が、もしそれらがＢＣＣＨ上で送られたＭＣＣＨスケジュールに従う場合は、アクセス関連情報を受け取ることができる、ように選択されることができる。アクセス情報期間は、上記で示された２つの目標を達成する、繰り返し期間の整数デバイダであり得るし、或いは、任意の持続時間として定義されることができる。アクセス情報期間スケジュールは、ＢＣＣＨ上で示される全体的なＭＣＣＨ伝送スケジュールの一部である。
【００４７】
通知インジケータをＭＩＣＨ上でそして信号情報送をＭＣＣＨ上で送るための上記に説明されたメカニズムは又、計数手続きのために使用されることができる。計数フラグは、修正期間の開始時にセットされることができ、それはそのあと、計数手続きを修正期間の開始時に始められるように制限する。これは、全ての無線機器がアクセス手続きを同時に開始するので計数手続きを単純化することが出来、それは予測できないランダム性(randomness)を減少させることができる。各アクセス情報期間に、アクセス情報は変更され、及び／又は、計数フラグはリセットされることができる。これは、計数手続き及びＲＲＣ接続確立の速い制御を可能にさせる。
【００４８】
計数フラグが所望のサービスに対しセットされているのを無線機器が検知する時、機器は、アクセス情報を読み、アクセス情報に含まれているアクセスバックオフパラメータを使用してシステムにアクセスすることを試みる。その時点以降、無線機器は、計数フラグのステータスを決定しそして最新のアクセス情報を得るために、アクセス情報期間毎にＭＣＣＨを読むことを試みる。無線機器は、アクセスバックオフパラメータをそれに応じて更新する。計数フラグがリセットされるか或いは計数が要求されないＲＲＣ状態に無線機器が移るまで、無線機器は、アクセス情報期間に従ってＭＣＣＨを読むことを続ける。
【００４９】
図７は、システムにおいて基地局によってＭＩＣＨ、ＭＣＣＨ及びＭＴＣＨを伝送するプロセス７００を示す。新しい修正期間が始まったかどうかが決定される（ブロック７１２）。もし答えが「Ｙｅｓ」の場合は、そのあと、各サービスに対する通知値が、サービスのための重要信号情報が次の修正期間において変更される(will be changed)かどうかに基づき決定される（ブロック７１４）。各サービスに対する通知インジケータが、現在の修正期間全体において(in the entire current modification period)、そのサービスのために決定された通知値(the notification value)にセットされる（ブロック７１６）。更新された信号情報（もしあれば）が各サービスのために送られ、そして、早期再伝送(an early retransmission)も又送られるかもしれない（ブロック７１８）。もし答えが「Ｎｏ」の場合は、そのあとプロセスはブロック７２２に進む。その更新された信号情報のための起動時間(an activation time)に関連している各サービスに対し、ブロック７２２の中で決定されるように、そのサービスのための更新された信号情報が、起動時間にＭＴＣＨに適用される（ブロック７２４）。
【００５０】
その後、新しい繰り返し期間が始まったかどうかが決定される（ブロック７３２）。もし答えが「Ｙｅｓ」の場合は、そのあと各サービスに対する信号情報がＭＣＣＨ上で再送される（ブロック７３４）。もしそうでなければ、プロセスはブロック７４２に進む。
【００５１】
ブロック７４２においては、新しいアクセス情報期間が始まったかどうかが決定される（ブロック７４２）。もし答えが「Ｙｅｓ」の場合は、そのあと各サービスに対する計数フラグは、計数手続きをイネーブルにすることを続行するようにセットが維持されるか、或いは計数手続きをディスエーブルするようにリセットされ、そしてそのあとＭＣＣＨ上で送られる（ブロック７４４）。計数フラグは、修正期間の開始時にセットされることができ、又、任意のアクセス情報期間にリセットされることができる。現在のアクセス情報も又、ＭＣＣＨ上で送られる（ブロック７４６）。もしブロック７４２の答えが「Ｎｏ」である場合、そして、ブロック７４６の後も又、プロセスはブロック７１２に戻る。
【００５２】
上記に説明されるように、基地局は、例えば、繰り返し期間と修正期間とアクセス情報期間とを含むスケジュールに従って、各サービスに対する信号情報を伝送する。修正期間は繰り返し期間の整数倍(an integer multiple)であり得、そしてアクセス情報期間は繰り返し期間の整数デバイダ(an integer divider)であり得る。基地局は、無線機器がこの情報を迅速に得ることを可能にするために現在の修正期間の各繰り返し期間において信号情報を伝送する。現在の修正期間における重要信号情報へのどんな変更も、次の修正期間の開始時に伝送される。もし所定のサービス(a given service)に対する重要信号情報への変更が次の修正期間において伝送される場合、そのときそのサービスのための通知インジケータは、無線機器に差し迫った変更を通知するために現在の修正期間の間ずっと(for the entire current modification period)セットされる。無線機器は、通知インジケータが現在の修正期間においてセットされていることを検知でき、そしてそのあと、次の修正期間において更新された重要信号情報を取り出す(retrieve)ことが出来る。
【００５３】
又上記で説明されたように、基地局は、サービスを受ける無線機器の数を数えるために、そしてサービスに使用するベストな伝送メカニズムを決定するために、与えられたサービス(a given service)のための計数手続きを行なうことができる。基地局は、サービスのための計数をイネーブルにするために各サービスの計数フラグを修正期間の開始時にセットできる。基地局は、各アクセス情報期間にアクセス情報と同様に各サービスのための計数フラグを送ることができる。もし無線機器が、機器によって受け取られている何れかのサービスのために計数フラグがセットされていることを検知する場合は、そのとき無線機器は、アクセス情報を読み、そしてアクセス情報に従ってシステムにアクセスすることを試みる。アクセス情報は変更されることができ、また、計数フラグは、各アクセス情報期間でリセットされることができる。
【００５４】
図８は、無線機器によってＭＩＣＨ、ＭＣＣＨ及びＭＴＣＨを受け取るプロセス８００を示す。無線機器は、ＭＩＣＨを処理し、所望のサービスのための通知インジケータに対し検知する（ブロック８１２）。そのあと、通知インジケータが何れかの所望のサービスに対しセットされている(is set)のかどうかの決定がされる（ブロック８１４）。もし答えが「Ｙｅｓ」の場合は、そのあと無線機器は、次の修正期間にＭＣＣＨを処理し、ＭＢＭＳ変更情報を得る（ブロック８１６）。無線機器はそのあと、何れかの所望のサービスに対し重要信号情報が変更されている(is changed)のかどうかを決定するために変更情報をチェックする（ブロック８１８）。もし重要信号情報が何れかのサービスに対して変更されている場合は、そのとき無線機器は、ＭＣＣＨを処理することを続け、変更情報によって識別された各所望のサービスのために更新された信号情報を読む（ブロック８２０）。更新された信号情報のための起動時間に関連する各サービス対し、ブロック８２２において決定されるように、無線機器は、そのサービスのための更新された信号情報をＭＴＣＨに起動時間に適用する（ブロック８２４）。プロセスは、ブロック８２４の後に、そしてもしブロック８１４、８１８、又は８２２の答えが「Ｎｏ」の場合にも又、終了する。
【００５５】
図９は、無線機器によって計数を行なうプロセス９００を示す。無線機器は、各所望のサービスに対する計数フラッグを、例えば、修正期間の開始時に、読む（ブロック９１２）。その後、計数フラグが何れかの所望のサービスに対しセットされている(is set)のかどうか決定される（ブロック９１４）。もし答えが「Ｙｅｓ」の場合、そのときは無線機器は、ＭＣＣＨ上のアクセス情報を取得し（ブロック９１６）そしてアクセス情報に従うＲＲＣ接続を確立することを試みる（ブロック９１８）。そのあと各アクセス情報期間サービスのために、ブロック９２０において決定されるように、無線機器は、計数フラグを読み、ＭＣＣＨ上のアクセス情報を読み、そして、現在のアクセスバックオフパラメータに基づきシステムにアクセスすることを試みる（ブロック９２２）。計数フラグがリセットされる（ブロック９２４）か、或いは計数が必要とされないＲＲＣ状態に無線機器が移ってしまう（ブロック９２６）まで、無線機器は、計数フラグを読み、システムアクセスを試みることを続ける。
【００５６】
進行中のサービスに対する計数（それは又再計数(re-counting)と呼ばれる）は、サービスの開始時の計数のための図９における上記に説明された方法で行なわれることができる。
【００５７】
一般に、様々なメカニズム(mechanism)が、ＭＣＣＨ上で送られた信号情報に対する通知を、又、計数手続きのための通知を、送るために使用されることができる。これらの通知は、（１）上記に説明されたように、ＭＩＣＨ上で、（２）ＭＴＣＨを搬送するＳ−ＣＣＰＣＨ上で、或いは、（３）専用ページング(dedicated paging)を使用して、送られることができる。無線機器に進行中のセッション（例、同じＳ−ＣＣＰＣＨ上に別のサービスの導入により）の間の再コンフィギュレーションを通知するために、通知は、Ｓ−ＣＣＰＣＨ上の帯域内(in-band on the S-CCPCH)で行なわれるかもしれない。Ｓ−ＣＣＰＣＨは、サービスを積極的にモニタする無線機器によって受け取られるかもしれない。Ｓ−ＣＣＰＣＨ上の帯域内で通知を送ることは、通知と共に更なる情報、例えば、実際のサービスＩＤ及び／又は起動時間など、を伝送することを可能にする。帯域内信号方式(the in-band signaling)は、更なるオーバヘッドの費用負担でより低いフォールスアラーム確率(a lower false alarm probability)を有する。専用ページングは、一般に、ＲＲＣ接続を確立した無線機器に適用可能である。
【００５８】
ＭＩＣＨ上の通知及びＭＣＣＨ上の信号情報の伝送は、図３Ａから図５までを通して示されるように、次のような様々な利点を提供出来る：
・無線機器が、通知はどのくらいの時間ＭＩＣＨ上で送られるのであろうかそしていつＭＣＣＨを読むのが有用であるであろうかをＭＣＣＨスケジュールに基づき演繹的に知っている(know a priori)ので、無線機器インプリメンテーションを単純化する；
・全て或いは殆どの無線機器が同時にＭＣＣＨを受信し始める(start listening to)のを可能とし、それは更新されたＭＣＣＨ情報を受け取るための遅れを減らし、起動時間が修正期間境界に接近してセットされることを可能とし、特に、ＭＣＣＨ情報が修正される時に、よりタイトな再伝送(tighter re-transmission)を可能とし、新旧両方のコンフィグレーション情報(both old and new configuration information)を同時に送る必要を無くす；そして
・ＭＢＭＳにおける全ての通知シナリオに対し、そして、全ての状態（アイドル及び接続された）における無線機器に対し、使用されることが出来る。
【００５９】
無線機器はＭＩＣＨを、それらのページングオケージョンの間に周期的に（もし機器がアイドルの場合）、或いはＭＴＣＨ受信の間に連続して（もし機器が接続される場合）、読むことが出来る。ＭＩＣＨ上で送られた通知インジケータは、帯域内通知(in-band notification)よりもより高いフォールスアラーム確率を潜在的に有するが、しかし、このフォールスアラーム確率は、修正期間の間に通知インジケータをより頻繁に読むことにより低減できる。重要信号情報を変更する際の更なる遅れは、適切な修正期間を選択することにより、改善されることができる。
【００６０】
ここに説明された通知スキーム(the notification scheme)は、サービス開始を示すメインの通知メカニズムとして、そして計数手続きのために、使用されることができる。この通知スキームは又、進行中伝送の間に通知を送るために使用されることもできる。
【００６１】
図１０は、基地局１１０ｘ及び無線機器１２０ｘの一実施例のブロック図を示す。ダウンリンク(the downlink)に対しては、基地局１１０ｘで、エンコーダ１０１０が、無線機器及びサービスのためのトラフィックデータ、信号情報、そして他のタイプのデータを受け取る。エンコーダ１０１０は、トラフィックデータ及び信号(signaling)を処理し（例、符号化し(encodes)、インタリーブし(interleaves)、そしてシンボルマッピングし(symbol maps)）、そして変調シンボル(modulation symbols)を生成する。モジュレータ１０１２は、様々な物理的チャネル(physical channels)（例、ＰＩＣＨ、ＭＩＣＨ、そしてＳ−ＣＣＰＣＨ）のための変調シンボル上で、チャンネル化(channelization)、スペクトラル拡散(spectral spreading)、スクランブル(scrambling)などを行い、データチップのストリーム(a stream of data chips)を提供する。送信機ユニット(a transmitter unit)（ＴＭＴＲ）１０１４は、データチップをコンディショニングし(conditions)（例、アナログに変換する、増幅する、フィルタにかける(filters)、そして周波数アップコンバートする(frequency upconverts)）、そしてダウンリンク信号を生成し、それはアンテナ１０１６経由で伝送される。
【００６２】
無線機器１２０ｘでは、アンテナ１０５２が、基地局１１０ｘからダウンリンク信号を受け取り、受け取った信号をレシーバー・ユニット（ＲＣＶＲ）１０５４に供給する。受信機ユニット１０５４は、受け取った信号をコンディショニングし（例、フィルタにかける、増幅する、そして周波数ダウンコンバートする(frequency downconverts)）、コンディショニングされた信号をデジタル化し、そしてデータサンプル(the data samples)を供給する。復調器(demodulator)（Ｄｅｍｏｄ）１０５６は、データサンプルを処理し、シンボル推定値(symbol estimates)を供給する。復調器１０５６は更に、コントローラ１０６０による指示どおりに、通知インジケータ、ページングインジケータ、そして計数フラグに対し、検知を行なう。デコーダ１０５８は、シンボル推定値を処理し（例、デマッピングし(demaps)、デインタリーブし(deinterleaves)、そしてデコードし）、そして、基地局１１０ｘによって送られた伝送されたトラフィックデータ及び信号のためにデコードされたデータを供給する。
【００６３】
アップリンクにおいては、無線機器１２０ｘで、トラフィックデータが、エンコーダ１０７０によって処理され、更に変調器１０７２によって処理され、送信機ユニット１０７４によってアップリンク信号を生成するためにコンディショニングされ、それはアンテナ１０５２経由で伝送される。基地局１１０ｘでは、アップリンク信号は、アンテナ１０１６によって受け取られ、受信機ユニット１０３０によってコンディショニングされ、復調器１０３２によって処理され、そしてデコーダ１０３４によって更に処理される。
【００６４】
コントローラ１０２０及び１０６０は、基地局１１０ｘ及び無線機器１２０ｘで、夫々、動作を指示する。コントローラ１０２０及び１０６０は又、サービスのための通知インジケータ及び信号情報の送信及び受信、夫々、に対し様々な機能を実行できる。例えば、コントローラ１０２０は、信号情報の伝送のための図７におけるプロセス７００を実行出来る。コントローラ１０６０は、信号情報の受信のための図８におけるプロセス８００を、そして計数手続きのための図９におけるプロセス９００を、実行出来る。メモリユニット１０２２及び１０６２は、コントローラ１０２０及び１０６０のためのデータ及びプログラムコードを夫々保存する。タイマ１０２４は、ＭＣＣＨスケジュールを維持するために時間情報を使用するコントローラ１０２０に、時間情報を提供する。タイマ１０６４は、ＭＣＣＨスケジュールを維持するためと同様にＰＩＣＨ及びＭＩＣＨを処理するためにいつウェイクアップするかを決めるために時間情報を使用するコントローラ１０６０に、時間情報を提供する。
【００６５】
ここに説明された信号伝送技術は、様々な手段によってインプリメントされることができる。例えば、これらの技術は、ハードウェア、ソフトウェア、或いはその組合せでインプリメントされることができる。ハードウェアインプリメンテーションについては、信号情報を伝送するために使用される処理装置は、１つ以上の特定用途向け集積回路（ＡＳＩＣｓ）、デジタル信号プロセッサ（ＤＳＰｓ）、デジタル信号処理装置（ＤＳＰＤｓ）、プログラマブルム論理装置（ＰＬＤｓ）、フィールドプログラマブルゲートアレイ（ＦＰＧＡｓ）、プロセッサ、コントローラ、マイクロ−コントローラ、マイクロプロセッサ、ここに説明された機能を実行するように設計された他の電子ユニット、或いはその組み合わせ、でインプリメントされることができる。信号情報を受け取るために使用される処理ユニットも又、１つ以上のＡＳＩＣｓ、ＤＳＰｓなどでインプリメントされることができる。
【００６６】
ソフトウェア・インプリメンテーションについては、信号伝送技術は、ここに説明された機能を実行するモジュール（例、手続き、機能、など）でインプリメントされることができる。ソフトウェアコードは、メモリユニット（例、図１０におけるメモリユニット１０２２又は１０６２）に保存され、そしてプロセッサ（例、コントローラ１０２０又は１０６０）によって実行されることができる。メモリユニットは、プロセッサ内に又はプロセッサ外部にインプリメントされることができ、この場合には、それは、本技術分野で知られているような様々な手段によってプロセッサに通信上結合されることが出来る。
【００６７】
開示された実施例の以上の説明は、どんな当業者も本発明を作り又は使用することを可能とするように提供される。これらの実施例への様々な修正は、当業者には容易に明らかであろう、そして、ここに定義された包括的な原理は、本発明の精神又は範囲から逸脱することなく他の実施例に適用されることができる。このように、本発明は、ここに示された実施例に制限されるようには意図されておらず、ないが、ここに開示された原理及び新規な特徴と一致する最も広い範囲が与えられるべきである。
【図面の簡単な説明】
【００６８】
【図１】図１は、無線通信システムを示す。
【図２Ａ】図２Ａは、ユニバーサル モバイル テレコミュニケーション システム（ＵＭＴＳ）におけるＰＩＣＨのフォーマットを示す。
【図２Ｂ】図２Ｂは、ＰＩＣＨの１つのフレームのフォーマットを示す。
【図３Ａ】図３Ａは、スケジュールに基づくＭＣＣＨ上の伝送を示す。
【図３Ｂ】図３Ｂは、スケジュールに基づくＭＣＣＨ上の伝送を示す。
【図４】図４は、ＭＩＣＨ及びＭＣＣＨ上の例示的な伝送を示す。
【図５】図５は、ＰＩＣＨ、ＭＩＣＨ、ＭＣＣＨ及びＭＴＣＨ上の例示的な伝送を示す。
【図６】図６は、計数のためのＭＩＣＨ及びＭＣＣＨ上の例示的な伝送を示す。
【図７】図７は、基地局によってＭＩＣＨ、ＭＣＣＨ及びＭＴＣＨを送信するプロセスを示す。
【図８】図８は、無線機器によってＭＩＣＨ、ＭＣＣＨ及びＭＴＣＨを受け取るプロセスを示す。
【図９】図９は、無線機器によって計数を行なうプロセスを示す。
【図１０】図１０は、基地局及び無線機器のブロック図を示す。
【図１】
2007522776.tif 000005
【図２Ａ】
2007522776.tif 000006
【図２Ｂ】
2007522776.tif 000007
【図３Ａ】
2007522776.tif 000008
【図３Ｂ】
2007522776.tif 000009
【図４】
2007522776.tif 000010
【図５】
2007522776.tif 000011
【図６】
2007522776.tif 000012
【図７】
2007522776.tif 000013
【図８】
2007522776.tif 000014
【図９】
2007522776.tif 000015
【図１０】
2007522776.tif 000016
【国際調査報告】
2007522776.tif 000017
2007522776.tif 000018